(57)【要約】【課題】組付けが容易であるとともに、密閉性を向上させる。【解決手段】筺体１は、ベース板２と、一部に開口部３１が設けられたアッパーケース３と、このアッパーケース３の開口部３１を開閉するカバー５とからなる。アッパーケース３の開口部３１の一端には、第１および第２の壁３５，３６と底部とからなる溝３８が設けられている。アッパーケース３の下端の外周部には、ベース板２の外周部を覆う袴部４０が設けられている。カバー５によって開口部３１を覆うことにより、カバー５の第３の壁５６の下端面によって、第２のシール材７が溝３８の底部に押し付けられる。【選択図】        図１
2004214529.tif 000002
【特許請求の範囲】
【請求項１】
ベース板と、一部に開口部が設けられたアッパーケースと、このアッパーケースの開口部を開閉するカバーとによって構成した筺体の密閉構造において、前記アッパーケースの開口部の一端に、対向する第１および第２の壁とこれら第１および第２の壁間を連結する底部とからなる断面コ字状の溝を設けるとともに、アッパーケースの開口部と反対側の部位に前記ベース板の外周部を覆う袴部を設け、かつこの袴部にアッパーケースの開口部を囲む囲い壁を立設し、前記カバーの一端に前記第１の壁に枢支される第３の壁を形成し、この第３の壁と前記溝の底部とに挟まれるシール材を備えたことを特徴とする筺体の密閉構造。
【請求項２】
請求項１記載の筺体の密閉構造において、前記溝の底部を中央に対して両端が前記袴部側に位置付けられるように湾曲面によって形成したことを特徴とする筺体の密閉構造。
【請求項３】
請求項１または２記載の筺体の密閉構造において、前記カバーに、前記第１および第２の壁のうち前記開口部側の第２の壁に対向する第４の壁を設けたことを特徴とする筺体の密閉構造。
【発明の詳細な説明】
【０００１】
【発明の属する技術分野】
本発明は、筺体内に雨水または塵埃あるいはガス等の流入を阻止する筺体の密閉構造に関する。
【０００２】
【従来の技術】
従来の筺体の密閉構造は、一方のケースに設けた２重の水抜き溝に、他方のケースに設けた嵌合凸片が嵌合することにより水の通る通路が形成されるものがある。（例えば、特許文献１参照。）。
また、ロアーケースの開口端面の全周に設けたＵ字溝にパッキンを嵌入させ、このパッキンをアッパーケースの開口端面で押圧するものもある。（例えば、特許文献２参照。）。
【０００３】
なお、本出願人は、本明細書に記載した先行技術文献情報で特定される先行技術文献以外には、本発明に密接に関連する先行技術文献を出願時までに発見するには至らなかった。
【０００４】
【特許文献１】
実開平３−８１６８２号公報（７頁第１７〜１９行、第３図）
【特許文献２】
実開平６−６００２７号公報（段落「００１５」、図２）
【０００５】
【発明が解決しようとする課題】
上述した従来の筺体の密閉構造のうち前者の構造においては、嵌合凸片を水抜き溝に嵌合させる構造であるため、組付けが煩雑であるというばかりではなく、嵌合凸片と水抜き溝の製造上のばらつきにより密閉性にも欠けるという問題があった。
また、後者の構造では、Ｕ字溝がケースの開口端面の全周に設けられているため、このＵ字溝にパッキンを組み付ける作業が煩雑になるという問題があった。
【０００６】
本発明は上記した従来の問題に鑑みなされたものであり、第１の目的は組付けが容易であることにある。また、第２の目的は密閉性を向上させることにある。
【０００７】
【課題を解決するための手段】
この目的を達成するために、請求項１に係る発明は、ベース板と、一部に開口部が設けられたアッパーケースと、このアッパーケースの開口部を開閉するカバーとによって構成した筺体の密閉構造において、前記アッパーケースの開口部の一端に、対向する第１および第２の壁とこれら第１および第２の壁間を連結する底部とからなる断面コ字状の溝を設けるとともに、アッパーケースの開口部と反対側の部位に前記ベース板の外周部を覆う袴部を設け、かつこの袴部にアッパーケースの開口部を囲む囲い壁を立設し、前記カバーの一端に前記第１の壁に枢支される第３の壁を形成し、この第３の壁と前記溝の底部とに挟まれるシール材を備えたものである。
したがって、アッパーケースとカバーとの隙間から侵入した雨水等はパッキンによってアッパーケースの開口部内に侵入するのが規制され、パッキン上を流れて囲い壁から袴部に導かれて筺体の外部に排出される。
【０００８】
また、請求項２に係る発明は、請求項１に係る発明において、前記溝の底部を中央に対して両端が前記袴部側に位置付けられるように湾曲面によって形成したものである。
したがって、雨水等は溝に装填されたシール材上で滞留しないで袴部に導かれる。
【０００９】
また、請求項３に係る発明は、請求項１に係る発明において、前記カバーに、前記第１および第２の壁のうち前記開口部側の第２の壁に対向する第４の壁を設けたものである。
したがって、アッパーケースとカバーとの隙間から侵入した雨水等はカバーの第４の壁によって、アッパーケースの開口部内への流入が規制される。
【００１０】
【発明の実施の形態】
以下、本発明の実施の形態を図に基づいて説明する。図１は本発明の筺体の密閉構造を分解して示す斜視図、図２は同じく筺体の外観を示す斜視図、図３は図４におけるＩＩＩ−ＩＩＩ  線断面図、図４は同じくカバーを取った状態のアッパーケースの平面図である。図５は図４のカバーを取り付けた状態におけるＶ−Ｖ  線断面図、図６は図４における  Ｖ−Ｖ線断面図であってアッパーケースからカバーを取り外した状態を示す、図７は図５において要部を拡大して示した図、図８は図３において要部を拡大して示した図である。
【００１１】
図１に示すように、全体を符号１で示す筺体１は、ベース板２と、このベース板２を覆うようにベース板２に固定されるアッパーケース３と、このアッパーケース３の開口部３１を開閉自在に着脱するカバー５とによって概略構成されている。
【００１２】
ベース板２の上面の外周縁には、このベース板２を囲むように枠状に形成した押え部２１が突設されており、四隅にはねじ挿通孔が形成されたボス２２が立設されている。同図に符号６で示すものは第１のシール材であって、ゴム材によって前記ベース板２の押え部２１と外形が略同じ寸法の枠状に形成されている。
【００１３】
アッパーケース３の上側は、左側が開口部３１で示すように開口しており、右側はカバー３２によって覆われている。開口部３１の下方には底部３３が設けられ、カバー３２の下方は開口している。アッパーケース３の開口部３１のカバー３２側の一端には、図７に示すように、カバー３２と後述する囲い壁４１とのそれぞれに連設された第１の壁３５と第２の壁３６とが対向し、これら第１および第２の壁３５，３６と、これら第１および第２の壁３５，３６を連結する底部３７とによって断面がコ字状の溝３８が形成されている。
【００１４】
この溝３８は、図８に示すように、筺体１の左右端まで延設され、左右両端が開口しており、この溝３８の底部３７は左右両端が下方に位置付けられるように湾曲状に形成されている。第１および第２の壁３５，３６のカバー３２側の第１の壁３５の上部には係合凹部３９が設けられている。アッパーケース３の下端には、全周にわたって袴部４０が設けられており、この袴部４０の上部の周端には開口部３１を囲むように囲い壁４１が立設されており、図３に示すように、この囲い壁４１を介して袴部４０と溝３８の底部３７とが連設されている。
【００１５】
また、この袴部４０に対向するように、アッパーケース３の下端の内側には、リブ４０ａが全周にわたって突設されており、ベース板２は、押え部２１がこのリブ４０ａと袴部４０との間に第１のシール材６を圧接するようにして係入してアッパーケース３の底部に取り付けられる。図４に符号４２で示すものは袴部４０にスリット状に穿孔された係入孔、４３はアッパーケース３の底部３３に設けられた電池収容部、４６は囲い壁４１から水平に突設された受板に螺設されたねじ穴である。
【００１６】
カバー５は、図６に示すように、両側板５１，５１と、これら両側板５１，５１間を連結する上面板５２と、背面板５３とによって断面がＬ字状を呈するように形成されており、両側板５１，５１の下面には、袴部４０の係入孔４２に係入される係入突起５４，５４が突設されている。上面板５２の凹嵌部には、図１に示すように、ねじ挿通孔５５が設けられており、上面板５２の前端には、下方に突設された第３の壁５６がカバー５の左右端に延在するように設けられ、この第３の壁５６の下端面は、カバー５の左右端方向において、溝３８の底部３７と同じ曲率で湾曲面によって形成されている。この第３の壁５６には前記第１の壁３５の係合凹部３９に係合する係合突起５７が突設されている。また、上面板５２には、図６に示すように、第３の壁５６に対向する第４の壁５８が突設されている。
【００１７】
図１に符号７で示すものは、ゴム材によって細長い直方体状に形成された第２のシール材であって、幅Ｌ２は、図６に示すように、溝３８の幅Ｌ１よりも僅かに大きく形成されており、全長は、図８に示すように溝３８の底部３７よりもやや短く形成されている。
【００１８】
このような構成において、第２のシール材７を、図５に示すように、アッパーケース３の溝３８に係入し底部３７上に載置する。次いで、カバー５の係合突起５７をアッパーケース３の第１の壁３５の係合凹部３９に係入し、この係合突起５７を回動中心として、カバー５を回動させてカバー５の係入突起５４を袴部４０の係入孔４２に係入させ、カバー５の下端面を袴部４０の上面に当接させて、カバー５によってアッパーケース３の開口部３１を覆う。そして、カバー５のねじ挿通孔５５から挿通したねじ（図示せず）をアッパーケース３のねじ穴４６に螺合させることにより、カバー５をアッパーケース３に組付ける。
【００１９】
このように組み付けたカバー５の第３の壁５６は、図７に示すように、アッパーケース３の第１の壁３５に対接するとともに、下端面で第２のシール材７を弾性変形させながら溝３８の底部３７に押し付けるので、下端面が第２のシール材７内に僅かに入り込んだ状態になる。また、カバー５の第４の壁５８がアッパーケース３の第２の壁３６に溝３８と反対側において近接した状態で対向する。
【００２０】
次に、図３および図７を用いて、筺体１の密閉構造について説明する。
図７に示すように、アッパーケース３の開口部３１の一端と、カバー５の一端との間には隙間６０が生じることにより、この隙間６０から雨水または塵埃あるいはガス等が侵入すると、これら雨水等は第１の壁３５と第３の壁５６との間から第２のシール材７に到達する。
【００２１】
上述したように、第３の壁５６の先端が第２のシール材７内に僅かに入り込んだ状態になっているため、この第３の壁５６と第２のシール材７とによって、雨水等がこの第３の壁５６の下端を通過して第２の壁３６側に移動するのが阻止される。仮に、雨水等が第３の壁５６の下端を通過して第２の壁３６側に移動したとしても、第２の壁３６に第４の壁５８が近接して対向しているため、電池収容部４３側への流入が規制される。
【００２２】
しかも、溝３８の底部３７が、図８に示すように、左右両端が下方に位置付けられるように湾曲面によって形成されているため、第３の壁５６によってこの底部３７に押し付けられた第２のシール材７も同じように湾曲状に弾性変形している。したがって、第２のシール材７上の雨水等は、第２および第３の壁３６，５６に案内され、この第２のシール材７の上面に沿って左右方向に流れるため、第２のシール材７上に滞留することなく、囲い壁４１とカバー５との間に導かれ、カバー５の下端面と袴部４０の上端面との隙間から外部に排出される。
【００２３】
このとき、袴部４０がベース板２の周端の全周を覆っているために、雨水等がベース板２の内側に侵入することが規制される。また、袴部４０の内側には、図３に示すようにリブ４０ａが設けられ、これらは下部４０とリブ４０ａとの間にはベース板２の押え部２１によって押圧された第１のシール材６が介在しているために、この第１のシール材６およびリブ４０ａによって雨水等が筺体１の内部に侵入するようなことがない。
【００２４】
このように、溝３８の底部３７に第３の壁５６の下端面によって押し付けられた第２のシール材７を設け、かつ溝３８の底部３７と囲い壁４１を介して連設されたベース板２の外周部を覆う袴部４０を設けたことにより、筺体１の密閉性が向上する。また、第２のシール材７は直方体状に形成されているため、容易に溝３８に嵌入させることができるので組付けが容易になる。
【００２５】
【発明の効果】
以上説明したように、請求項１に係る発明によれば、組付けが容易になるばかりではなく、密閉性も向上する。
【００２６】
また、請求項２および３に係る発明によれば、より密閉性が向上する。
【図面の簡単な説明】
【図１】本発明の筺体の密閉構造を分解して示す斜視図である。
【図２】本発明の筺体の密閉構造における筺体の外観を示す斜視図である。
【図３】図４におけるＩＩＩ−ＩＩＩ  線断面図である。
【図４】本発明の筺体の密閉構造において、カバーを取った状態のアッパーケースの平面図である。
【図５】図４のカバーを取り付けた状態におけるＶ−Ｖ  線断面図である。
【図６】図４におけるＶ−Ｖ  線断面図であってアッパーケースからカバーを取り外した状態を示す。
【図７】図５において要部を拡大して示した図である。
【図８】図３において要部を拡大して示した図である。
【符号の説明】
１…筺体、２…ベース板、３…アッパーケース、５…カバー、６…第１のシール材、７…第２のシール材、２１…押え部、３１…開口部、３２…カバー、３５…第１の壁、３６…第２の壁、３７…底部、３８…溝、３９…係合凹部、４０…袴部、４０ａ…リブ、４１…囲い壁、５６…第３の壁、５７…係合突起、５８…第４の壁、６０…隙間。
【図１】
2004214529.tif 000003
【図２】
2004214529.tif 000004
【図３】
2004214529.tif 000005
【図４】
2004214529.tif 000006
【図５】
2004214529.tif 000007
【図６】
2004214529.tif 000008
【図７】
2004214529.tif 000009
【図８】
2004214529.tif 000010